(57)【要約】【課題】閉脚姿勢から開脚姿勢への切替操作を円滑にでき、脚部材に付着した内容物が垂れ落ちることを防止できるとともに、容器本体に対して支持装置が円滑に挿入可能な、注出ポンプの支持装置及びそれを用いた注出ポンプ並びに注出ポンプを取り付けた容器本体の口部及び注出容器を提供する。【解決手段】注出ポンプ２０の支持装置３０として、支持脚３１と、支持脚３１に上下動可能に外嵌されたスライド部材３４と、スライド部材３４の上下方向への相対移動に伴って、支持脚３１から側方へ延びる開脚姿勢と、下端側を上端側よりも支持脚３１の中心側へ窄ませた閉脚姿勢とにわたって、開閉可能な複数の脚部材３５と、複数の脚部材３５に上側から着脱自在に外嵌されて、複数の脚部材３５を閉脚姿勢に窄ませる、口部１３ａに内嵌可能な絞りリング５０とを備えたものを用いた。【選択図】図２
2018024456.tif 000002
【特許請求の範囲】
【請求項１】
容器本体の口部に着脱自在に取付けられる注出ポンプを支持する注出ポンプの支持装置であって、
前記支持装置は、
前記注出ポンプから下方へ延びる支持脚と、
前記支持脚に上下動可能に外嵌されたスライド部材と、
前記支持脚とスライド部材とにわたって、前記支持脚の周方向に間隔をあけて設けられた複数の脚部材であって、上側リンク及び下側リンクと、前記スライド部材よりも下側において、前記支持脚に対して前記下側リンクを回動自在に連結する下側連結部と、前記スライド部材に対して上側リンクを回動自在に連結する上側連結部と、前記上側リンクと下側リンクとを回動自在に連結する中間連結部とをそれぞれ有し、前記支持脚に対するスライド部材の上下方向への相対移動に伴って、前記支持脚から側方へ延びる開脚姿勢と、下端側を上端側よりも支持脚の中心側へ窄ませた閉脚姿勢とにわたって、開閉可能な複数の脚部材と、
前記複数の脚部材に上側から着脱自在に外嵌されて、前記複数の脚部材を閉脚姿勢に窄ませる、前記口部に内嵌可能な絞りリングと、
を備えた、
ことを特徴とする注出ポンプの支持装置。
【請求項２】
前記上側リンクの外面に、前記絞りリングとの接触により、前記複数の脚部材を閉脚姿勢側へ操作する操作面が設けられている請求項１記載の注出ポンプの支持装置。
【請求項３】
前記脚部材は、前記絞りリングを脚部材から離脱させた自然状態において、前記脚部材を構成する素材の弾性により、前記支持脚の中心線と平行な垂下姿勢よりも開脚した解除姿勢に開脚される請求項１又は２記載の注出ポンプの支持装置。
【請求項４】
前記上側リンクに、前記絞りリングの脚部材に対する閉脚姿勢における外嵌位置よりも下側への、前記絞りリングの移動を規制する規制突部が設けられている請求項１〜３のいずれか１項記載の注出ポンプの支持装置。
【請求項５】
前記スライド部材に、前記絞りリングの脚部材に対する閉脚姿勢における外嵌位置側へ、前記絞りリングを誘導する誘導リブが設けられている請求項１〜４のいずれか１項記載の注出ポンプの支持装置。
【請求項６】
前記下側リンクの先端部に、前記容器本体の底面に当接して、前記脚部材を開脚姿勢側へ案内する開脚案内面が設けられている請求項１〜５のいずれか１項記載の注出ポンプの支持装置。
【請求項７】
前記開脚姿勢において、前記支持脚に対するスライド部材の上方への相対移動を規制する上限規制部が支持脚に設けられている請求項１〜６のいずれか１項に記載の注出ポンプの支持装置。
【請求項８】
前記請求項１〜７のいずれか１項記載の注出ポンプの支持装置を備えたことを特徴とする注出ポンプ。
【請求項９】
請求項８記載の注出ポンプが取り付けられる容器本体の口部において、前記支持装置の絞りリングを容器本体の口部内に係止する係止部と、前記絞りリングを口部内に着脱可能に保持する保持部とを備えていることを特徴とする容器本体の口部。
【請求項１０】
請求項９記載の容器本体の口部に請求項８記載の注出ポンプが取り付けられた注出容器において、前記容器本体が手で減容化が可能な軟質素材からなり、前記容器本体の底部が平坦面に構成され、該底部を設置面に面接触させて設置可能となしたことを特徴とする注出容器。
【発明の詳細な説明】
【技術分野】
【０００１】
本発明は、使用後に手で押し潰して減容可能な柔軟な容器に好適な注出ポンプの支持装置及びそれを用いた注出ポンプ並びに注出ポンプを取り付けた容器本体の口部及び注出容器に関する。
【背景技術】
【０００２】
従来、シャンプーやリンス、ハンドソープなどの液状物を取り出し可能に収容する容器として、口部を有する容器本体と、前記口部に着脱自在に取り付けた手動式の注出ポンプとを有し、容器本体から上方へ突出する注出ポンプの操作部を下方へ押し操作することで、操作部に設けた注出ノズルから内容物を吐出可能となしたポンプ付き注出容器が広く実施されている。
【０００３】
特許文献１、２に記載のように、容器本体として、手で押し潰して減容可能な薄肉の容器本体を用い、内容物を使い切った後は、容器本体から注出ポンプを取り外して、内容物が充填された詰め替え用の容器本体に該注出ポンプを取付け、空になった容器本体は小さく押し潰して廃棄するように構成した注出ポンプ付き容器も提案されている。
【０００４】
特許文献１には、注出ポンプの支持脚として、上部に管状部を設け、下部に該管状部の下端部から斜め下側へ放射状に延びる６本の脚部を設けたものが記載され、特許文献２には、前記特許文献１と同様に、上部に管状部を設け、下部に該管状部の下端部から斜め下側へ放射状に延びる３本〜４本の脚部を設けた支持脚が記載されている。
【０００５】
しかし、特許文献１，２記載の注出ポンプの脚部材では、管状部の下端部からそのまま下方に開脚する脚部を設けてあるため、脚部が華奢で脆弱であり、管状部との連結部も管状部から下方に滑らかに反って成形されているから、手で押し下げるポンプ操作時に撓んだり折れ曲がったりして、注出ポンプの支持力を充分に確保できず、容器本体として使い捨て可能な軟質素材からなるものを用いた場合には、注出ポンプの操作時に、容器本体が変形して、安定性良く注出ポンプを使用できないという問題がある。
【０００６】
そこで、本出願人は、特許文献３記載のように、容器本体の口部に着脱自在に取付可能な注出ポンプの支持装置であって、ポンプの吸い上げ管に密着固定可能な注出パイプと、注出パイプに第１開閉連結部により開閉自在に設けた下側リンクと、第１開閉連結部の上方の注出パイプの外周に上下動可能に外嵌したガイドリングと、ガイドリングに第２開閉連結部により開閉自在に設けた上側リンクと、上側リンクと下側リンクとをガイドリングの上下動を伴って開閉自在に連結する第３開閉連結部とを備え、上部リンク及び下部リンクと第１〜第３の開閉連結部とで、側方へ延びる開脚姿勢と、略鉛直方向に垂下した閉脚姿勢とに開閉可能な脚部材を構成してなる注出ポンプの支持装置を提案した。
【０００７】
この特許文献３記載の支持装置では、合成樹脂材料による成形性を考慮して、第１開閉連結部と第２開閉連結部とを合成樹脂の弾性ヒンジで構成し、第３開閉連結部をヒンジ軸とヒンジ連結軸受と有する軸ヒンジで構成し、注出パイプと下側リンクと第１開閉連結部とを合成樹脂材料を用いた一体成形部材で構成し、ガイドリングと上側リンクと第２開閉連結部とを合成樹脂材料を用いた一体成形部材で構成している。
【先行技術文献】
【特許文献】
【０００８】
【特許文献１】特開２０１２−１８４０３３号公報
【特許文献２】特開２００１−２１３４８９号公報
【特許文献３】特開２０１５−１９９５４２号公報
【発明の概要】
【発明が解決しようとする課題】
【０００９】
特許文献３記載の支持装置では、特許文献１，２記載の脚部と比較して、強度剛性の高い上下のリンクを用いて脚部材を構成できるので、内容物の注出時等における操作部の下方への操作力を支持装置で安定性良く受けとめることができる。
【００１０】
しかし、自然状態において、第１及び第２開閉連結部を構成する合成樹脂材料の素材の弾性により、完全に閉脚し切らずに脚部材が口部の内径よりも大きく開脚することがあり、注出ポンプを容器本体に装着するときに、手で脚部材を閉脚姿勢へ操作しなければならず、脚部材に付着している内容物で手が汚れるという問題があった。
【００１１】
また、特許文献３には、この問題を解決するため、脚部材が閉脚姿勢に保持されるように、ガイドリングの上端部に複数の係止爪を設け、ポンプの吸い上げ管に密着固定される注出パイプに、閉脚姿勢において係止爪に上側から係合可能な係止突部を設け、ガイドリングに対して注出パイプに沿った一定値以上の操作力が作用しないと、係止爪が係止突部を乗り越えないように構成した支持装置も提案されている。
【００１２】
しかし、特許文献３記載のように、係止爪及び係止突部を設けた場合には、支持装置を口部から容器本体に挿入し、脚部材の下端部を容器本体の底面に当接させて、閉脚姿勢に保持された脚部材を開脚姿勢に切り替えるときに、係止爪が係止突部を乗り越えるだけの比較的大きな操作力を注出ポンプに作用させる必要があり、空中で支持装置を押圧すると軟包装容器の底部から十分な反発力が作用しないため脚部材が円滑に開脚しないことから、利用者によっては、どの様に操作すればよいのか戸惑ったり、不安に感じたりする場合があった。
【００１３】
また、特許文献３記載の支持装置では、閉脚姿勢において、複数の脚部材が注出パイプに沿った略鉛直に配置される関係上、容器本体から支持装置を抜き取ったときに、脚部材に付着していた内容物が垂れて、床面を汚したりすることがある。また、閉脚姿勢において、複数の脚部材の下端部の外接円の直径と、口部の内径との寸法差が比較的小さいことから、抜き取った支持装置を容器本体に円滑に挿入できないという問題がある。
【００１４】
一方、特許文献１には、支持装置を注出ポンプとともに容器本体から抜き取ることで、素材の弾性により開脚姿勢に保持された複数の脚部を閉脚姿勢に操作する絞りリングを備えた支持装置が記載されている。しかし、特許文献１記載の支持装置においても、複数の脚部材の中央部に支持脚が配置される関係上、脚部材は支持脚に沿った略鉛直位置までしか、絞りリングで閉脚することができないものであり、閉脚姿勢において複数の脚部材の下端部を上端部よりも内側に配置させて窄ませるという構成は提案されていなかった。
【００１５】
本発明の目的は、閉脚姿勢から開脚姿勢への切替操作を円滑にでき、しかも容器本体から抜き取ったときに、脚部材に付着した内容物が垂れ落ちることを防止できるとともに、容器本体に対して支持装置を円滑に挿入可能な、注出ポンプの支持装置及びそれを用いた注出ポンプ並びに注出ポンプを取り付けた容器本体の口部及び注出容器を提供することである。
【課題を解決するための手段】
【００１６】
本発明は、以下の発明を包含する。
（１）容器本体の口部に着脱自在に取付けられる注出ポンプを支持する注出ポンプの支持装置であって、前記支持装置は、前記注出ポンプから下方へ延びる支持脚と、前記支持脚に上下動可能に外嵌されたスライド部材と、前記支持脚とスライド部材とにわたって、前記支持脚の周方向に間隔をあけて設けられた複数の脚部材であって、上側リンク及び下側リンクと、前記スライド部材よりも下側において、前記支持脚に対して前記下側リンクを回動自在に連結する下側連結部と、前記スライド部材に対して上側リンクを回動自在に連結する上側連結部と、前記上側リンクと下側リンクとを回動自在に連結する中間連結部とをそれぞれ有し、前記支持脚に対するスライド部材の上下方向への相対移動に伴って、前記支持脚から側方へ延びる開脚姿勢と、下端側を上端側よりも支持脚の中心側へ窄ませた閉脚姿勢とにわたって、開閉可能な複数の脚部材と、前記複数の脚部材に上側から着脱自在に外嵌されて、前記複数の脚部材を閉脚姿勢に窄ませる、前記口部に内嵌可能な絞りリングとを備えた、ことを特徴とする注出ポンプの支持装置。
【００１７】
この支持装置を取り付けた注出ポンプを容器本体に組み付ける際には、絞りリングを脚部材に外嵌させて、複数の脚部材を閉脚姿勢に保持した状態で、該脚部材をその先端側から容器本体の口部に挿入し、支持装置を注出ポンプとともに容器本体に組み付けることになる。このとき、絞りリングは、口部に内嵌保持されて、脚部材から離脱される。また、脚部材は、その下端部が容器本体の底面に当接されて、開脚姿勢に操作される。こうして、脚部材を開脚姿勢に切り替えた状態で、注出ポンプの操作部を下方へ押し操作して、内容物を注出することになる。
【００１８】
一方、内容物を使い切るなどして、容器本体を詰め替え用の容器本体に交換する際には、注出ポンプとともに支持装置を容器本体から抜き取って、絞りリングを複数の脚部材に外嵌させて脚部材を閉脚姿勢に切り替え、この閉脚状態で、前記と同様に脚部材を口部に挿入して、注出ポンプ及び支持装置を詰め替え用の容器本体に組み付けることになる。
【００１９】
この支持装置では、これを注出ポンプとともに容器本体に組み付けた状態で、複数の脚部材が開脚姿勢に開脚されるので、脚部材を構成する上側リンク及び下側リンクの強度剛性を高めることで、支持装置による注出ポンプの支持強度を高めて、注出ポンプを操作して内容物を注出するときの、注出ポンプの安定性を向上できる。また、絞りリングを脚部材に外嵌させて、複数の脚部材を閉脚姿勢に保持した状態において、脚部材の下端側が上端側よりも支持脚の中心側へ窄んだ状態となる。このため、支持装置を容器本体から抜き取るときに、脚部材に内容物が付着していたとしても、該内容物は隣接する脚部材間に保持されて、脚部材の下端部から垂れ落ちることが防止される。また、閉脚姿勢において、複数の脚部材の下端部の外接円が、特許文献３記載の支持装置と比較して小さくなるので、その分、口部に対する脚部材の挿入性を高めて、支持装置を容器本体に対して円滑に挿入できる。
【００２０】
（２）前記上側リンクの外面に、前記絞りリングとの接触により、前記複数の脚部材を閉脚姿勢側へ操作する操作面が設けられている（１）記載の注出ポンプの支持装置。この支持装置では、絞りリングを上側リンクに外嵌させることで、絞りリングにより操作面を押し操作して、複数の脚部材を閉脚姿勢側へ操作することができる。
【００２１】
（３）前記操作面として、前記上側リンクの回動中心側の外面に、回動中心側へ行くにしたがって上側リンクを薄肉に構成する上部操作面が形成されている（２）記載の注出ポンプの支持装置。
【００２２】
（４）前記操作面として、前記上側リンクの幅方向の両側の回動中心側に、前記上側リンクの外面側の側縁を正面視３角形状に面取りしてなる側部操作面が形成されている（２）又は（３）記載の注出ポンプの支持装置。
【００２３】
（５）前記操作面が、閉脚姿勢において絞りリングの内面に沿うような円弧面を有する（２）〜（４）のいずれかに記載の注出ポンプの支持装置。
【００２４】
（６）前記脚部材は、前記絞りリングを脚部材から離脱させた自然状態において、前記脚部材を構成する素材の弾性により、前記支持脚の中心線と平行な垂下姿勢よりも開脚した解除姿勢に開脚される（１）〜（５）のいずれかに記載の注出ポンプの支持装置。この支持装置では、支持装置を注出ポンプとともに容器本体に組み付けて、絞りリングが脚部材から離脱したときに、脚部材が、支持脚の中心線と平行な垂下姿勢よりも開脚した解除姿勢に開脚され、脚部材の下端部を容器本体の底面に当接させて、脚部材を開脚姿勢に切り替えるときに、解除姿勢からの切り替えとなるので、小さな操作力で脚部材を容易に開脚姿勢に切り替えることが可能となる。
【００２５】
（７）前記上側連結部と下側連結部と中間連結部の少なくとも１つは、軸部とそれに回動自在に嵌合される軸受部とを備えた軸ヒンジで構成されている（１）〜（６）のいずれかに記載の注出ポンプの支持装置。このように構成することで、スライド部材と支持脚とを別部材で構成できるので、支持装置を無理なく成形することが可能となる。
【００２６】
（８）前記上側連結部と下側連結部とが、それにより連結される部材に一体成形された弾性ヒンジで構成され、前記中間連結部が、上側リンク又は下側リンクに設けられた軸部と、下側リンク又は上側リンクに設けられた軸受部とを備えた軸ヒンジで構成されている（１）〜（７）のいずれかに記載の注出ポンプの支持装置。この発明では、上側リンクとスライド部材とを合成樹脂材料の一体成形品で構成し、下側リンクと支持脚とを合成樹脂材料の一体成形品で構成できるので、支持装置を無理なく成形することが可能となるとともに、上側リンク及び下側リンクを別部材で構成する場合と比較して、支持装置の部品点数を少なくできる。また、両部材を組み合わせた状態で、軸部に軸受部を嵌合させることで、支持装置を容易に組み立てることができるので好ましい。更に、弾性ヒンジからなる上側連結部及び下側連結部における素材の弾性により、絞りリングを脚部材から抜き取って脚部材を開脚させるときに、脚部材が解除姿勢側へ回動するので、脚部材を開脚姿勢へ容易に操作することが可能となるので好ましい。
【００２７】
（９）前記上側リンクに、前記絞りリングの脚部材に対する閉脚姿勢における外嵌位置よりも下側への、前記絞りリングの移動を規制する規制突部が設けられている（１）〜（８）のいずれかに記載の注出ポンプの支持装置。この支持装置では、規制突部により脚部材に対する絞りリングの外嵌位置を一様に設定できるので、絞りリングが支持装置から脱落することを確実に防止できる。
【００２８】
（１０）前記絞りリングは、筒状の胴体部と、前記胴体部の上部に形成された、前記保持部に着脱可能に係合する環状のリング部とを備えている（１）〜（９）のいずれかに記載の注出ポンプの支持装置。保持部に嵌合する凹部を絞りリングに設けて、絞りリングを着脱可能に口部内に保持することもできるが、本発明のようにリング部を設けると、リング部を絞りリングの補強部として兼用できるので、絞りリングの胴体部を極力薄肉に構成して、絞りリングの製作コストを安くできる。
【００２９】
（１１）前記絞りリングの内径が、前記脚部材を支持脚の中心線と平行な垂下姿勢に回動させた状態における、脚部材に対する絞りリングの外嵌位置の最大外接円よりも小さく設定されている（１）〜（１０）のいずれかに記載の注出ポンプの支持装置。このように絞りリングの内径を設定することで、絞りリングにより、複数の脚部材を、その下端側を上端側よりも支持脚の中心側へ窄ませた閉脚姿勢に操作できる。
【００３０】
（１２）前記スライド部材に、前記絞りリングの脚部材に対する閉脚姿勢における外嵌位置側へ、前記絞りリングを誘導する誘導リブが設けられている（１）〜（１１）のいずれかに記載の注出ポンプの支持装置。上側連結部は、スライド部材から外方へ突出されるので、絞りリングが脚部材に外嵌されるときに、絞りリングが上側連結部に引っ掛かって、円滑に外嵌できないことがある。本発明では、誘導リブを設けることで、脚部材に対する絞りリングの外嵌位置側へ絞りリングを相対的に誘導して、絞りリングを脚部材に円滑に外嵌させることができる。
【００３１】
（１３）前記下側リンクの先端部に、前記容器本体の底面に当接して、前記脚部材を開脚姿勢側へ案内する開脚案内面が設けられている（１）〜（１２）のいずれかに記載の注出ポンプの支持装置。この発明では、支持装置を注出ポンプとともに容器本体に組み付けるときに、開脚案内面により脚部材を円滑に開脚姿勢に切り替えることができる。
【００３２】
（１４）前記開脚姿勢において、前記支持脚に対するスライド部材の上方への相対移動を規制する上限規制部が支持脚に設けられている（１）〜（１３）のいずれか１項に記載の注出ポンプの支持装置。この発明では、上限規制部により、支持脚に対するスライド部材の上方への相対移動が規制されて、脚部材が開脚姿勢から更に上側へ回動することが確実に防止される。
【００３３】
（１５）前記（１）〜（１４）のいずれかに記載の注出ポンプの支持装置を備えたことを特徴とする注出ポンプ。
【００３４】
（１６）前記（１５）記載の注出ポンプが取り付けられる容器本体の口部において、前記支持装置の絞りリングを容器本体の口部内に係止する係止部と、前記絞りリングを口部内に着脱可能に保持する保持部とを備えていることを特徴とする容器本体の口部。この容器本体の口部では、絞りリングの容器本体内への脱落が係止部により防止されるとともに、支持装置を注出ポンプとともに容器本体に組み付けた状態で、絞りリングが保持部により口部に保持される。また、口部内に対する保持部による絞りリングの保持力を適正に設定することで、支持装置を注出ポンプとともに容器本体から抜き取るときの操作に連動して、保持部に保持されていた絞りリングを自動的に脚部材に嵌合させて、脚部材を閉脚姿勢に切り替えることができる。したがって、絞りリングに手を触れることなく、脚部材を閉脚姿勢に切り替えることが可能となり、内容物が付着した絞りリングで手を汚すこともない。
【００３５】
（１７）前記絞りリングを口部から抜き取るときの保持部による操作抵抗が、前記絞りリングを脚部材に外嵌させるときの操作抵抗よりも大きく設定されている（１６）記載の容器本体の口部。この容器本体の口部では、支持装置を注出ポンプとともに容器本体から抜き取るときの操作に連動して、保持部に保持されていた絞りリングを自動的に脚部材に嵌合させて、脚部材を閉脚姿勢に切り替えることができる。したがって、絞りリングに手を触れることなく、脚部材を閉脚姿勢に切り替えることが可能となり、内容物が付着した絞りリングで手を汚すこともない。
【００３６】
（１８）前記保持部は、前記口部における、該口部に内嵌した絞りリングの高さ方向の途中部に対面するように形成されている（１６）又は（１７）記載の容器本体の口部。この発明では、口部の外周面に形成されている螺子部に、注出ポンプのナット部を螺合させて、口部に対して注出ポンプを固定するときに、絞りリングを注出ポンプ側の部材で下方へ押し下げることによって、絞りリングを保持部に対して確実に且つ容易に保持させることができる。
【００３７】
（１９）前記（１６）〜（１８）のいずれかに記載の容器本体の口部に、前記（１５）記載の注出ポンプが取り付けられた注出容器において、前記容器本体が手で減容化が可能な軟質素材からなり、前記容器本体の底部が平坦面に構成され、該底部を設置面に面接触させて設置可能となしたことを特徴とする注出容器。
【発明の効果】
【００３８】
本発明に係る注出ポンプの支持装置及びそれを用いた注出ポンプ並びに注出容器によれば、支持装置を注出ポンプとともに容器本体に組み付けた状態で、複数の脚部材が開脚姿勢に開脚されるので、脚部材を構成する上側リンク及び下側リンクの強度剛性を高めることで、支持装置による注出ポンプの支持強度を高めて、注出ポンプを操作して内容物を注出するときの、注出ポンプの安定性を向上できる。また、絞りリングを脚部材に外嵌させて、複数の脚部材を閉脚姿勢に保持した状態において、脚部材の下端側が上端側よりも支持脚の中心側へ窄んだ状態となる。このため、支持装置を容器本体から抜き取るときに、脚部材に内容物が付着していたとしても、該内容物は隣接する脚部材間に保持されて、脚部材の下端部から垂れ落ちることが防止される。また、閉脚姿勢において、複数の脚部材の下端部の外接円が、特許文献３記載の支持装置と比較して小さくなるので、その分、口部に対する脚部材の挿入性を高めて、支持装置を容器本体に対して円滑に挿入できる。
【図面の簡単な説明】
【００３９】
【図１】注出ポンプ及び支持装置の要部を縦断した正面図
【図２】容器本体から注出ポンプ及び支持装置を抜き取った状態での注出容器の斜視図
【図３】開脚姿勢における支持装置の斜視図
【図４】開脚姿勢における支持装置の分解斜視図
【図５】開脚姿勢における支持装置の平面図
【図６】図５のVI-VI線断面図
【図７】絞りリングの斜視図
【図８】口部材の平面図
【図９】垂下姿勢における支持装置の斜視図
【図１０】閉脚姿勢における支持装置の斜視図
【図１１】容器本体に対する支持装置の挿入時の説明図
【図１２】解除姿勢における支持装置の斜視図
【図１３】脚部材の開脚操作時の説明図
【図１４】注出ポンプを容器本体に固定した状態でのキャップ部材付近の縦断面図
【図１５】注出ポンプを容器本体に取り付けるときのキャップ部材付近の縦断面図
【図１６】注出ポンプを容器本体から取り外すときのキャップ部材付近の縦断面図
【図１７】他の構成の支持装置の縦断面図
【図１８】他の構成の容器本体を備えた注出容器の一部を切欠いた斜視図
【図１９】同容器本体の折り畳み状態での正面図
【図２０】他の構成の口部材の斜視図
【図２１】図２０のXXI-XXI線断面図
【図２２】同口部材の図２２（Ａ）は平面図、図２２（Ｂ）は正面図、図２２（Ｃ）は底面図
【図２３】同口部材の図２３（Ａ）は左側面図、図２３（Ｂ）は右側面図、図２３（Ｃ）は背面図
【発明を実施するための形態】
【００４０】
以下図示する実施例に基づいて本発明を説明する。
図１、図２に示すように、注出容器１０は、シャンプーやリンスなどの液状の内容物を収容する容器本体１１と、この容器本体１１の口部１３ａに着脱自在に取り付けられた注出ポンプ２０と、注出ポンプ２０に着脱可能に取り付けられた支持装置３０とを備えている。この注出容器１０では、図１に仮想線で示すように、注出ポンプ２０の操作部２２を押し下げ操作することで、操作部２２に設けられたノズル２２ａから内容物を注出でき、操作部２２を押し下げたときに、注出ポンプ２０に作用する下方への荷重を支持装置３０で受け止めながら、内容物を注出できる。
【００４１】
＜容器本体＞
容器本体１１としては、内容物を収容可能な本体部１２と、注出ポンプ２０を取り付け可能な口部１３ａとを備えたものであれば任意の構成のものを採用できる。特に、本発明では、注出ポンプ２０を支持装置３０で縦向姿勢に安定支持して、容器本体１１を自立可能に構成でき、しかも注出ポンプ２０の操作時における下方への力を支持装置３０で受け止めて、注出ポンプ２０の操作時における本体部１２の変形を防止できるので、容器本体１１の本体部１２として、手で折り畳んだり潰したりして容易に減容化し得る極めて薄肉なものを採用できる。
【００４２】
具体的には、図１、図２に示す容器本体１１のように、合成樹脂材料を含む軟質なフィルム材を用いて製作した本体部１２と、本体部１２にヒートシールなどにより一体的に固定した、射出成形品などからなる硬質の口部材１３とを備え、口部材１３に外部へ突出する口部１３ａを設け、本体部１２の底面１４を略平坦に構成したものを好適に採用できる。
【００４３】
ただし、本体部１２の形状、本体部１２におけるフィルム材の接合構造、口部材１３の形状などは、図１、図２に示す以外の周知の構成のものを採用できる。例えば、図１８、図１９に示すような本体部１２Ａを有する容器本体１１Ａを採用することもできる。具体的には、細長い長方形状の１枚のフィルム材を側面視３角形状に折り曲げて、前面部１２Ａａと後面部１２Ａｂと底面部１２Ａｃとを形成するとともに、平坦な底面部１２Ａｃをその前後方向の中央部において山折にした状態で、前面部１２Ａａと後面部１２Ａｂと底面部１２Ａｃとを重ね合わせて、前面部１２Ａａと後面部１２Ａｂの両側部を融着して側部シール部１２Ａｄを形成し、底面部１２Ａｃの前半部の両側部を前面部１２Ａａの両側部に融着するとともに、底面部１２Ａｃの後半部の両側部を後面部１２Ａｂの両側部に融着して、底面側部シール部１２Ａｅを形成し、更に前面部１２Ａａの下端部と底面部１２Ａｃの前縁部とを融着するとともに、後面部１２Ａｂの下端部と底面部１２Ａｃの後縁部とを融着して、底面側部シール部１２Ａｅに連なるように下端シール部１２Ａｆを形成し、前面部１２Ａａと後面部１２Ａｂの上端部の幅方向の中央部間に口部材１３を融着固定してなる本体部１２Ａを採用することもできる。なお、下端シール部１２Ａｆは省略することも可能であるが、容器本体１１Ａの落下時におけるフィルム材の破れを効果的に防止するため設けることが好ましい。
【００４４】
なお、本体部を構成するフィルム材としては、容器本体に収容する内容物などに応じて、任意の素材、単層又は任意の積層構造のものを採用できる。また、同一構成のフィルム材で構成することもできるが、異なる構成のフィルム材を任意に組み合わせて構成することもできる。更にまた、本実施の形態では、本体部をフィルム材で構成してなる容器本体を採用したが、例えばブロー成形品からなる容器本体を採用することも可能である。
【００４５】
また、口部材１３としては、図２０〜図２３に示すように、下面の両側部に外端側上がりの三角形状の傾斜面１５を特徴部分として備えた口部材１３Ａを採用することもできる。このような構成の口部材１３Ａを用いると、注出容器１０の落下時における、容器本体１１の破れを一層効果的に防止できるので好ましい。
【００４６】
＜注出ポンプ＞
注出ポンプ２０は、図１、図２に示すように、図示外のピストンが内装された筒状のシリンダケース２１と、シリンダケース２１から上方へ突出状に設けられて、シリンダケース２１に上下移動自在に設けられた操作部２２と、操作部２２を上方へ常時付勢する図示外の復帰用のバネ部材と、口部１３ａに着脱自在に螺合されるキャップ部材２３とを備えた、一般的な構成のものである。
【００４７】
この注出ポンプ２０は、シリンダケース２１を口部１３ａ内に挿入して、キャップ部材２３を口部１３ａの螺子部１３ｂに螺合することで、容器本体１１に液密状に組み付けられる。そして、操作部２２を下方へ押し操作することで、シリンダケース２１の下端部に接続された後述する支持脚３１からなる吸い上げ管を通じて、容器本体１１内の内容物がシリンダケース２１内に吸い上げられて、操作部２２に設けられたノズル２２ａから外部へ吐出されるように構成されている。
【００４８】
ただし、注出ポンプ２０としては、操作部２２を押し操作することで内容物を吐出可能な注出ポンプ２０以外に、例えばトリガーの回動操作により内容物を噴霧可能となしたトリガー式ポンプや、電動の注出ポンプを採用することもできる。
【００４９】
＜支持装置＞
次に、支持装置３０の構成について図面を参照しながら説明する。
図１〜図１６に示すように、支持装置３０は、注出ポンプ２０から下方へ延びる支持脚３１と、支持脚３１に上下動可能に外嵌されたスライド部材３４と、支持脚３１とスライド部材３４とにわたって、支持脚３１の周方向に間隔をあけて設けられた複数の脚部材３５であって、上側リンク３６及び下側リンク３７と、スライド部材３４よりも下側において支持脚３１に対して下側リンク３７を回動自在に連結する下側連結部３８と、スライド部材３４に対して上側リンク３６を回動自在に連結する上側連結部３９と、上側リンク３６と下側リンク３７とを回動自在に連結する中間連結部４０とをそれぞれ有し、支持脚３１に対するスライド部材３４の上下方向への相対移動に伴って、支持脚３１から側方へ延びる開脚姿勢と、下端側を上端側よりも支持脚３１の中心側へ窄ませた閉脚姿勢とにわたって、開閉可能な複数の脚部材３５と、複数の脚部材３５に上側から着脱自在に外嵌されて、複数の脚部材３５を閉脚姿勢に窄ませる、口部１３ａに対して一部又は全部が内嵌可能な絞りリング５０とを備えている。
【００５０】
（支持脚）
支持脚３１は、注出ポンプ２０に対する内容物の吸い上げ管を兼ねており、シリンダケース２１の下端部に設けられた取付部２１ａに着脱自在に取り付けられた略筒状の上側支持脚３２と、上側支持脚３２の下端部に内嵌接続された略筒状の下側支持脚３３とを備えている。
【００５１】
支持脚３１は１つの筒状部材で構成することも可能であるが、本実施の形態のように上側支持脚３２と下側支持脚３３とに分割構成すると、長さの異なる支持脚を備えた支持装置を複数種類用意しないでも、上側支持脚３２のみを長さの異なるものと交換することで、高さの異なる容器本体１１に対しても支持装置３０を容易に適用できるので好ましい。また、支持脚３１を吸い上げ管として兼用したが、支持脚３１とは別個に支持脚３１内に吸い上げ管を設けて、その上端部を取付部２１ａに内嵌固定し、その下端部を容器本体１１の底面１４付近に開口させることもできる。ただし、支持脚３１を注出ポンプ２０のシリンダケース２１との一体成形品で構成することも可能である。
【００５２】
下側支持脚３３の下端部には１乃至複数の開口部３３ａが形成され、容器本体１１内の内容物はこの開口部３３ａを通じて支持脚３１内に導入されるように構成されている。
【００５３】
下側支持脚３３の高さ方向の途中部には筒状のスライド部材３４が上下移動自在に外嵌され、スライド部材３４の上端部には爪部３４ａが周方向に間隔をあけて複数個形成され、下側支持脚３３の上部には爪部３４ａに係合してスライド部材３４の上限位置を規制する環状の上限規制部３３ｂが突出状に形成されている。下側支持脚３３の下半部は上半部よりも大径に構成され、下側支持脚３３の高さ方向の途中部には爪部３４ａに係合してスライド部材３４の下限位置を規制する段差部からなる環状の下限規制部３３ｃが形成され、スライド部材３４は上限規制部３３ｂと下限規制部３３ｃ間において上下移動自在に下側支持脚３３に外嵌されている。
【００５４】
（脚部材）
脚部材３５について説明すると、脚部材３５は、平板状の上側リンク３６及び下側リンク３７と、下側支持脚３３と下側リンク３７とを回動自在に連結する下側連結部３８と、スライド部材３４と上側リンク３６とを回動自在に連結する上側連結部３９と、上側リンク３６と下側リンク３７とを回動自在に連結する中間連結部４０とを備え、スライド部材３４と下側支持脚３３とにわたって周方向に間隔をあけて３個設けられている。３個の脚部材３５は、下側支持脚３３に対するスライド部材３４の相対的な上下移動により開閉するように、スライド部材３４の下端部と下側支持脚３３の下端部とにわたって設けられている。これら３個の脚部材３５は、スライド部材３４が上限位置へ相対移動すると、図１、図３〜図６に図示の開脚姿勢に回動し、スライド部材３４が下限位置へ相対移動すると、図２、図１０、図１１に図示の閉脚姿勢に回動するように構成されている。
【００５５】
なお、本実施の形態では、３個の脚部材３５を設けたが、脚部材３５の個数は任意に設定可能である。ただし、脚部材３５の個数が少なくなると、容器本体１１の自立安定性が低下したり、ポンプ操作時に容器本体１１が傾いてしまったりすることがあり、また多すぎると、製作コストが高くなるので、３個〜６個、好ましくは３個又は４個設けることが望ましい。
【００５６】
スライド部材３４の下端部と上側リンク３６の基端部間には、スライド部材３４と上側リンク３６とに一体成形された薄肉な弾性ヒンジを有する上側連結部３９が設けられ、上側リンク３６は上側連結部３９を介してスライド部材３４に回動自在に連結されている。
【００５７】
下側支持脚３３の下端部と下側リンク３７の基端部間には、下側支持脚３３と下側リンク３７とに一体成形された薄肉な弾性ヒンジを有する下側連結部３８が設けられ、下側リンク３７は下側連結部３８を介して下側支持脚３３に回動自在に連結されている。
【００５８】
下側リンク３７の先端部には下側連結部３８の回動中心と略平行に軸部３７ａが設けられ、上側リンク３６の先端部には、下側リンク３７の軸部３７ａに上側から着脱自在に嵌合する略Ｕ字状の軸受部３６ａが形成され、上側リンク３６と下側リンク３７とは、軸部３７ａと軸受部３６ａとを有する軸ヒンジからなる中間連結部４０により回動自在に連結されている。
【００５９】
脚部材３５は、絞りリング５０を脚部材３５から離脱させた自然状態において、弾性ヒンジを構成する素材の弾性により、支持脚３１の中心線と平行な図９に図示の垂下姿勢よりも開脚した図１２に図示の解除姿勢に開脚され、これにより支持装置３０を注出ポンプ２０とともに容器本体１１に組み付けるときに、小さな操作力で脚部材３５を容易に開脚姿勢に切り替えることが可能となる。ただし、支持装置３０を構成する素材の弾性により、脚部材３５を解除姿勢へ付勢させるための突部や舌部を形成することも可能である。
【００６０】
下側リンク３７の先端部には、解除姿勢において下側へ向けて突出する円弧面からなる開脚案内面４１が設けられ、支持装置３０を注出ポンプ２０とともに容器本体１１に組み付けるときに、この開脚案内面４１が容器本体１１の底面１４に当接することで、脚部材３５が開脚姿勢側へ案内されるように構成されている。
【００６１】
下側支持脚３３とスライド部材３４と脚部材３５とは、合成樹脂材料単体または合成樹脂材料に必要な添加剤を添加した材料を用いて射出成形などにより成形されている。合成樹脂材料としては、機械的強度を有するものであれば任意の組成の合成樹脂材料を採用できるが、弾性ヒンジにおける繰り返しの折り曲げによく耐える合成樹脂材料、例えばポリプロピレンを好適に採用できる。
【００６２】
なお、本実施の形態では、中間連結部４０を軸ヒンジで構成したが、上側連結部３９と下側連結部３８と中間連結部４０の少なくとも１つを軸ヒンジで構成し、残りを弾性ヒンジで構成することもできる。ただし、上側連結部３９と下側連結部３８と中間連結部４０の少なくとも１つは、弾性ヒンジで構成することが好ましい。また、中間連結部４０を下側リンク３７の先端部に設けたが、下側リンク３７の長さ方向の途中部に設けることもできる。
【００６３】
（絞りリングを用いた脚部材の開閉機構）
絞りリング５０を用いた脚部材３５の開閉機構について説明すると、絞りリング５０は、図７に示すように、円筒状の胴体部５１と、胴体部５１の上部に外方へ突出状に形成された環状のリング部５２とを備えている。絞りリング５０は、複数の脚部材３５の上部に着脱自在に外嵌されて、複数の脚部材３５を、支持脚３１の中心線と略平行な図９に図示の垂下姿勢よりも、さらに下端側を上端側よりも窄ませた、図１０、図１１に図示の閉脚姿勢に保持可能に構成されるとともに、注出ポンプ２０及び支持装置３０を容器本体１１に組み付けた状態において口部１３ａに内嵌保持可能に構成されている。
【００６４】
図７、図１０、図１１、図１３〜図１６に示すように、絞りリング５０は、その全体が口部１３ａに内嵌可能な外径及び高さに構成され、口部１３ａの内面上部には複数の係止部１３ｃが周方向に間隔をあけて内方へ向けて突出状に形成されている。絞りリング５０は、リング部５２の下面が係止部１３ｃに当接することで、容器本体１１内へ脱落しないように構成されている。係止部１３ｃは、絞りリング５０の下方への移動を係止した状態で、絞りリング５０の上端部が口部１３ａから上方へ突出しない高さ位置に形成されている。
【００６５】
係止部１３ｃよりも上側において口部１３ａの内面には、複数の保持部１３ｄが周方向に間隔をあけて内側へ向けて突出状に形成され、図１４に示すように、絞りリング５０を口部１３ａ内に内嵌装着した状態で、保持部１３ｄがリング部５２よりも上側に配置されるように構成されている。保持部１３ｄの内側への突出高さは、係止部１３ｃよりも低く設定され、一定の操作力で絞りリング５０を操作することで、図１５、図１６に示すように、リング部５２が保持部１３ｄを乗り越えて、口部１３ａに対して絞りリング５０を着脱できる高さに設定されている。絞りリング５０を口部１３ａから抜き取るときの操作抵抗は、絞りリング５０を脚部材３５に外嵌させるときの操作抵抗よりも大きくなるように設定され、図２、図１１、図１６に示すように、支持装置３０を容器本体１１から抜き取るときに、絞りリング５０により脚部材３５が閉脚姿勢側へ操作されながら、絞りリング５０が脚部材３５の上部に外嵌されることで、脚部材３５が閉脚姿勢に保持されてから、絞りリング５０が口部１３ａから離脱するように構成されている。
【００６６】
係止部１３ｃ及び保持部１３ｄは、本実施の形態では周方向に一定間隔おきに８個形成したが、係止部１３ｃ及び保持部１３ｄの個数や周方向の形成位置は任意に設定可能であるし、口部１３ａの内周面に沿って環状に形成することも可能である。また、係止部１３ｃに代えて、口部１３ａの上端に係合する鍔部を絞りリング５０の上端部に外方へ突出状に形成することも可能である。
【００６７】
図７、図９に示すように、絞りリング５０の内径Ｄ１は、上側連結部３９の外接円の直径Ｄ２よりも大きく、脚部材３５を支持脚３１の中心線と平行な垂下姿勢に回動させた状態における、脚部材３５に対する絞りリング５０の外嵌位置を構成する操作面４０の最大外接円の直径Ｄ３よりも小さく設定され、絞りリング５０を複数の脚部材３５に外嵌させた状態で、絞りリング５０により操作面４０を内側へ押し操作して、脚部材３５の下端側を上端側よりも支持脚３１の中心側へ窄ませた閉脚姿勢に操作できるように構成されている。
【００６８】
上側リンク３６の長さ方向の途中部には、脚部材３５に対する絞りリング５０の下限位置を規制する規制突部４２が設けられ、絞りリング５０を脚部材３５に外嵌させて、脚部材３５を閉脚姿勢に切り替えた状態で、絞りリング５０の下端部が規制突部４２に当接して、絞りリング５０が脚部材３５から下側へ脱落しないように構成されている。
【００６９】
上側リンク３６の回動中心側の外面には絞りリング５０の下端部との接触により、複数の脚部材３５を閉脚姿勢側へ操作する操作面４３が設けられている。操作面４３として、上側リンク３６の回動中心側の外面には、回動中心側へ行くにしたがって上側リンク３６を薄肉に構成する上部操作面４４が形成され、上側リンク３６の幅方向の両側の回動中心側には、上側リンク３６の外面側の側縁を正面視略３角形状に面取りして、回動中心側へ行くにしたがって薄肉になるように構成した側部操作面４５が形成されている。なお、上部操作面４４及び側部操作面４５は、平坦面で構成することも可能であるが、閉脚姿勢において絞りリング５０の内面に沿うような円弧面に形成することも好ましい。ただし、操作面４３としては、絞りリング５０が外嵌されることで脚部材３５を閉脚姿勢に操作可能な構成のものであれば、任意の構成のものを採用できる。
【００７０】
スライド部材３４の上部には誘導リブ４６が周方向に間隔をあけて複数形成され、誘導リブ４６は上側へ行くにしたがって突出高さが低くなるように、例えば側面視三角形状に形成されている。これにより、絞りリング５０を脚部材３５に外嵌させるときに、この誘導リブ４６によりスライド部材３４の中心線が絞りリング５０の中心線と合致するように案内されて、絞りリング５０の下端部が上側連結部３９に引っ掛かることが防止される。
【００７１】
＜使用方法＞
この支持装置３０を取り付けた注出ポンプ２０を容器本体１１に組み付ける際には、図１１に示すように、絞りリング５０を脚部材３５に外嵌させて、複数の脚部材３５を閉脚姿勢に保持した状態で、該脚部材３５をその先端側から容器本体１１の口部１３ａに挿入し、支持装置３０を注出ポンプ２０とともに容器本体１１に組み付けることになる。このとき、絞りリング５０は、図１５に示すように、その下端部が口部１３ａの上端部又は保持部１３ｄに当接して脚部材３５から抜き取られ、上側支持脚３２に遊嵌状に外嵌される。そして、口部１３ａの外周面に形成されている螺子部１３ｂに、注出ポンプ２０のキャップ部材２３を螺合させて、口部１３ａに対して注出ポンプ２０を固定するときに、絞りリング５０がキャップ部材２３内に設けられたパッキン２４で下方へ押し下げられて、図１４に示すように、リング部５２が保持部１３ｄを乗り越えて、保持部１３ｄと係止部１３ｂ間に保持されることで、絞りリング５０が、容器本体１１内に脱落しないように、口部１３ａ内に保持される。また、図１４に示すように、キャップ部材２３を螺子部１３ｂに締め付けることで、パッキン２４が口部１３ａの上端部に圧接されて、注出ポンプ２０が容器本体１１に液密状に組み付けられる。一方、絞りリング５０が抜き取られた脚部材３５は、図１３に示すように、鉛直方向の垂下姿勢よりも開脚した解除姿勢に素材の弾性により開脚し、図１３に二点鎖線で示すように、下側リンク３７の下端部の開脚案内面４１が容器本体１１の底面１４に当接することで、図１３に一点鎖線で示すように、開脚案内面４１が底面１４に沿って外方側へ移動することで開脚姿勢に開脚される。こうして、脚部材３５を開脚姿勢に切り替えた状態で、図１に示すように、注出ポンプ２０の操作部２２を下方へ押し操作して、内容物を注出することになる。
【００７２】
一方、内容物を使い切るなどして、容器本体１１を詰め替え用の容器本体１１に交換する際には、キャップ部材２３を緩めて、注出ポンプ２０とともに支持装置３０を容器本体１１から抜き取ることになる。このとき、脚部材３５は、開脚姿勢よりも閉脚した図１３に図示の解除姿勢に素材の弾性で復帰する。そして、図１６に示すように、口部１３ａ内に保持された絞りリング５０の下端部に、誘導リブ４６が当接して、支持装置３０の中心が絞りリンク５０の中心側へ案内され、その後、絞りリング５０が上部操作面４４及び側部操作面４５に順次外嵌されることで、絞りリング５０により上部操作面４４及び側部操作面４５が絞りリング５０の中央部側へ押し操作され、３個の脚部材３５が、その下端側を窄ませた閉脚姿勢側へ操作されながら、図１１に示すように、絞りリング５０の下端部が規制突部４２に当接するまで、絞りリング５０が３個の脚部材３５の上部に外嵌され、絞りリング５０により３個の脚部材３５が閉脚姿勢に保持される。このとき、絞りリング５０を口部１３ａから抜き取るときの操作抵抗が、絞りリング５０を脚部材３５に外嵌させるときの操作抵抗よりも大きく設定されているので、絞りリング５０は口部１３ａ内に保持された状態に維持され、支持装置３０を注出ポンプ２０とともに容器本体１１から抜き取るときの操作に連動して、口部１３ａ内に保持されていた絞りリング５０が自動的に脚部材３５に嵌合され、脚部材３５が閉脚姿勢に切り替えられることになる。こうして、脚部材３５を絞りリング５０により閉脚姿勢に切り替えた状態で、更に注出ポンプ２０とともに支持装置３０を引き抜き方向へ操作することで、絞りリング５０のリング部５２が保持部１３を乗り越えて、絞りリング５０が口部１３ａから離脱し、注出ポンプ２０及び支持装置３０を容器本体１１から抜き取ることができる。そして、抜き取った注出ポンプ２０及び支持装置３０を詰め替え用の容器本体１１に組み付ける際には、絞りリング５０により脚部材３５が閉脚姿勢に保持されているので、これをそのまま、前記と同様にして容器本体１１に組み付けることになる。
【００７３】
この支持装置３０では、これを注出ポンプ２０とともに容器本体１１に組み付けた状態で、複数の脚部材３５が開脚姿勢に開脚されるので、脚部材３５を構成する上側リンク３６及び下側リンク３７の強度剛性を高めることで、支持装置３０による注出ポンプ２０の支持強度を高めて、注出ポンプ２０を操作して内容物を注出するときの、注出ポンプ２０の安定性を向上できる。また、絞りリング５０を脚部材３５に外嵌させて、複数の脚部材３５を閉脚姿勢に保持した状態において、脚部材３５の下端側が上端側よりも支持脚３１の中心側へ窄んだ状態となる。このため、支持装置３０を容器本体１１から抜き取るときに、脚部材３５に内容物が付着していたとしても、該内容物は隣接する脚部材３５間に保持されて、脚部材３５の下端部から垂れ落ちることが防止される。また、閉脚姿勢において、複数の脚部材３５の下端部の外接円が、特許文献３記載の支持装置のように、脚部材を垂下姿勢に保持する場合と比較して小さくなるので、その分、口部１３ａに対する脚部材３５の挿入性を高めて、支持装置３０を容器本体１１に対して円滑に挿入できる。
【００７４】
また、支持装置３０を注出ポンプ２０とともに容器本体１１に組み付けた状態で、絞りリング５０が保持部１３ｄにより口部１３ａに保持されるので、支持装置３０を注出ポンプ２０とともに容器本体１１から抜き取るときの操作に連動して、保持部１３ｄに保持されていた絞りリング５０を自動的に脚部材３５に嵌合させて、脚部材３５を閉脚姿勢に切り替えることができる。したがって、絞りリング５０に手を触れることなく、脚部材３５を閉脚姿勢に切り替えることが可能となり、内容物が付着した絞りリング５０で手を汚すこともない。
【００７５】
更に、上側リンク３６とスライド部材３４とを合成樹脂材料の一体成形品で構成し、下側リンク３７と支持脚３１とを合成樹脂材料の一体成形品で構成しているので、支持装置３０を無理なく成形することが可能となるとともに、上側リンク３６及び下側リンク３７を別部材で構成する場合と比較して、支持装置３０の部品点数を少なくできる。また、両部材を組み合わせた状態で、軸受部３６ａを上側から軸部３７ａに嵌合させることで、支持装置３０を容易に組み立てることができるので好ましい。更に、弾性ヒンジからなる上側連結部３９及び下側連結部３８における素材の弾性により、絞りリング５０を脚部材３５から抜き取って脚部材３５を開脚させるときに、脚部材３５が解除姿勢側へ回動するので、脚部材３５を開脚姿勢へ容易に操作することが可能となる。
【００７６】
なお、広口な口部を有する容器本体に本発明を適用するため、絞りリング５０として、図１７に示すように、絞りリング５０よりも大きな直径の絞りリング５０Ａを用いる場合には、側部操作面４５に代えて、各脚部材３５の上側リング３６の上部に、外方へ突出する１乃至複数枚の操作リブ６０を形成し、閉脚姿勢において該操作リブ６０の上部に、上側へ行くにしたがってスライド部材３４の中心側へ傾斜した操作面６１を形成することもできる。また、この場合には、図１７に示すように、規制突部４２に代えて、操作リブ６０の下端部に外方へ突出する規制突部４２Ａを形成することもできる。このように構成すると、操作リブ６０の外方への突出高さを絞りリング５０Ａの内径に応じて調整することで、上部リンク３６の厚さを変更したりすることなく、各種口部の容器に対して本発明を容易に適用できるので好ましい。
【００７７】
以上、本発明の実施形態について説明したが、本発明は前述した実施形態に何ら限定されるものではなく、本発明の要旨を逸脱しない範囲においてその構成を変更し得ることは勿論である。
【符号の説明】
【００７８】
１０    注出容器
１１    容器本体
１２    本体部
１３    口部材
１３ａ  口部
１３ｂ  螺子部
１３ｃ  係止部
１３ｄ  保持部
１４    底面
２０    注出ポンプ
２１    シリンダケース
２１ａ  取付部
２２    操作部
２２ａ  ノズル
２３    キャップ部材
２４    パッキン
３０    支持装置
３１    支持脚
３２    上側支持脚
３３    下側支持脚
３３ａ  開口部
３３ｂ  上限規制部
３３ｃ  下限規制部
３４    スライド部材
３４ａ  爪部
３５    脚部材
３６    上側リンク
３６ａ  軸受部
３７    下側リンク
３７ａ  軸部
３８    下側連結部
３９    上側連結部
４０    中間連結部
４１    開脚案内面
４２    規制突部
４３    操作面
４４    上部操作面
４５    側部操作面
４６    誘導リブ
５０    絞りリング
５１    胴体部
５２    リング部
１１Ａ    容器本体
１２Ａ    本体部
１２Ａａ  前面部
１２Ａｂ  後面部
１２Ａｃ  底面部
１２Ａｄ  側部シール部
１２Ａｅ  底面側部シール部
１２Ａｆ  下端シール部
１３Ａ  口部材
１５    傾斜面
５０Ａ  絞りリング
４２Ａ  規制突部
６０    操作リブ
６１    操作面
【図１】
2018024456.tif 000003
【図２】
2018024456.tif 000004
【図３】
2018024456.tif 000005
【図４】
2018024456.tif 000006
【図５】
2018024456.tif 000007
【図６】
2018024456.tif 000008
【図７】
2018024456.tif 000009
【図８】
2018024456.tif 000010
【図９】
2018024456.tif 000011
【図１０】
2018024456.tif 000012
【図１１】
2018024456.tif 000013
【図１２】
2018024456.tif 000014
【図１３】
2018024456.tif 000015
【図１４】
2018024456.tif 000016
【図１５】
2018024456.tif 000017
【図１６】
2018024456.tif 000018
【図１７】
2018024456.tif 000019
【図１８】
2018024456.tif 000020
【図１９】
2018024456.tif 000021
【図２０】
2018024456.tif 000022
【図２１】
2018024456.tif 000023
【図２２】
2018024456.tif 000024
【図２３】
2018024456.tif 000025